(57)【要約】【課題】出産や年齢を重ねてバスト上部が痩せてボリュームが減少しても、カップがバストによく馴染んでバストとカップとの間に隙間ができることなく、カップがバストにフィットして美しいバストラインを造形することができるバストカップを有する衣類を提供する。【解決手段】左右のバストカップ２，２を有する衣類１である。バストカップ２，２はモールドウレタンカップである。カップ２の上縁辺１１に沿って型押し溝１２が内面に形成されている。【選択図】図１
2012224947.tif 000002
【特許請求の範囲】
【請求項１】
左右のバストカップを有する衣類において、そのバストカップはモールドウレタンカップであり、上縁辺に沿って型押し溝が内面に形成されていることを特徴とするバストカップを有する衣類。
【請求項２】
前記型押し溝は、カップの上縁辺の内面に沿って複数本配設されていることを特徴とする請求項１に記載のバストカップを有する衣類。
【請求項３】
前記複数本配設された型押し溝は、上方から下方に向かって長さが徐々に短く形成されていることを特徴とする請求項２に記載のバストカップを有する衣類。
【請求項４】
前記複数本配設された型押し溝は、上方から下方に向かって間隔が徐々に広がるように形成されていることを特徴とする請求項２に記載のバストカップを有する衣類。
【発明の詳細な説明】
【技術分野】
【０００１】
本発明は、バストカップを備えた衣類に関し、さらに詳しくは、出産や年齢を重ねて上胸が痩せても、バストとカップの間に隙間が生じることのない美しいバストラインに補整するバストカップを有する衣類に関するものである。
【背景技術】
【０００２】
従来から、ブラジャー、ボディスーツ、ブラスリップ、ブラトップス、レオタード、水着などバストカップを有する衣類には、バストを立体的に美しく整えると同時に着用安定性を図るため、バストの膨らみに合致する椀状に形成したカップが用いられており、着用時にバストがカップに収容保持されてバストを美しく整容するようになっている。
【０００３】
そのカップは、一般的に伸縮性編生地を表生地に、ポリウレタンフォームを中間層に、吸湿性ならびに伸縮性に富んだ編み生地を裏生地にして一体的に熱圧着して椀状に成型加工されたシームレスカップであり、カップ表面に縫い目がなく薄いＴシャツなどを着てもアウターに響かないという利点があることから、バストラインを美しく見せるブラジャーなどのカップに用いられている（例えば、特許文献１参照）。
【先行技術文献】
【特許文献】
【０００４】
【特許文献１】特開２００１−７３２０３号公報
【発明の概要】
【発明が解決しようとする課題】
【０００５】
しかしながら、前記特許文献１のブラジャーなどに用いられるシームレスカップは、バストの形に合致するよう椀状に形成されているが、一般的に出産や年齢を重ねた女性のバストは、年とともに次第に下垂していき上胸の膨らみが衰えてボリュームが減少するため、バストとカップの間に隙間ができ、カップがバストにフィットせず浮くことになり、形の良いバストに保形できないばかりでなく、着け心地も良くないといった問題点があった。
【０００６】
本発明は、上記のような問題点を解決することを課題として開発されたもので、出産や年齢を重ねてバスト上部が痩せてボリュームが減少しても、カップがバストによく馴染んでバストとカップとの間に隙間ができることなく、カップがバストにフィットして美しいバストラインを造形することができるバストカップを有する衣類を提供することを目的とするものである。
【課題を解決するための手段】
【０００７】
上記の課題を解決し、その目的を達成する手段として、本発明は、左右のバストカップを有する衣類において、そのバストカップはモールドウレタンカップであり、上縁辺に沿って型押し溝が内面に形成されていることを特徴とするバストカップを有する衣類を開発し、採用した。
【０００８】
また、上記のように構成したバストカップを有する衣類において、前記型押し溝は、カップの上縁辺内面に沿って複数本配設されていることを特徴とするバストカップを有する衣類、および複数本配設された型押し溝は、上方から下方に向かって長さが徐々に短く形成されていることを特徴とするバストカップを有する衣類、および複数本配設された型押し溝は、上方から下方に向かって間隔が徐々に広がるように形成されていることを特徴とするバストカップを有する衣類を開発し、採用した。
【発明の効果】
【０００９】
本発明によれば、カップの上縁辺に沿って型押し溝が内面に形成されているから、その型押し溝に沿った方向にフレキシブルになり、肌側への屈曲性が良くなってバストの膨らみに応じて良く馴染み出産や年を取ってバストが下垂してバスト上部のボリュームが減少しても、カップ上縁辺はそれに伴って肌側に倒れやすくなり、バストによく馴染んでバストとの間に隙間が生じることがなく、フィットしてバストラインを美しく補整することができる。
【００１０】
また、型押し溝はカップの内面の上縁辺に複数本配設されているから、上縁辺の近傍部がフレキシブルになって肌側に折曲しやすくなり、年齢を重ねてバスト上部のボリュームが減少したとしても、それに即して屈曲してバストによく馴染みフィットすることになり、バストラインを美しく見せることができる。
【００１１】
さらに、複数本配設された型押し溝は上方から下方に向かって長さが徐々に短く形成されているから、下方より上方の屈曲具合が良くなり、バストの上部が痩せてボリュームが減少したとしても、カップ上縁辺はその減少に応じて変形してバストによく馴染みフィットし、バストラインを美しく見せることができる。
【００１２】
また、複数本配設された型押し溝は上方から下方に向かって間隔が徐々に広がるように形成されているから、上方の屈曲性が良くなり、年を取ってバスト上部のボリュームが減少したとしても、カップ上縁辺はそれに応じて変形屈曲しバストによく馴染みフィットすることになり、バストラインを美しく見せることができる。
【図面の簡単な説明】
【００１３】
【図１】本発明の第１実施形態のブラジャーの正面側斜視図である。
【図２】本発明の第１実施形態のブラジャーの簡略背面図である。
【図３】本発明の第１実施形態のカップの背面図である。
【図４】図３のＡ−Ａ線縦断面図である。
【図５】使用状態を示す縦断面図である。
【図６】本発明の第２実施形態のカップの背面図である。
【図７】図６のＢ−Ｂ線縦断面図である。
【図８】本発明の第３実施形態のカップの背面図である。
【図９】図８のＣ−Ｃ線縦断面図である。
【発明を実施するための形態】
【００１４】
以下に、本発明の実施形態をカップを有する代表的な衣類のブラジャーについて説明するが、ブラジャーに限定されるのではなく、図示していないが、ボディスーツ、ブラスリップ、ブラトップス、レオタード、水着、カップ付きドレスなどバストを支えるカップを備え、バストの保形、整容などの造形機能を必要とする衣類であればいずれも適用できるものである。
【００１５】
図１〜図５は本発明の第１実施の形態を示しており、ブラジャー本体１は、バストを覆うカップ２と、土台部３と、バック布４と、肩紐５とから構成されている。ここで示すカップ２は、３／４カップで示しているが、フルカップ、ハーフカップなどを用いることもある。
【００１６】
このカップ２は、ポリエステル系やポリアミド系合成繊維糸条で編成した伸縮性の良い表生地６と、軟質ポリウレタンフォーム７を中間層とし、綿など吸湿性に優れた裏生地８を用いて一体的に熱圧着することにより、椀状に熱成型加工されたものであり、図４に示すように、カップ２の下方部９を分厚くして前中心側に寄せてバストアップを図るようになっているが、必ずしもこの形態に限るものではなく、中央部が厚く上下方向に行くに従って薄くなるカップでもよいし、あるいは中央部、上下部とも均一厚さのカップでもよい。１０はカップ２の下端周縁に設けた薄い鍔部であり、テープ状生地などを縫着するための縫い代となる部分である。
【００１７】
上記のカップ２には、上縁辺１１の近傍部の内面側に熱プレス成型によって型押し溝１２が施されている。その型押し溝１２の形状としては、種々の形状のものが考えられるが、Ｕ字状、台形状、Ｖ字状などが一般的であり、成型性や屈曲性の良さからＵ字状が最適である。
【００１８】
型押し溝１２の数は、フルカップ、３／４カップ、ハーフカップなどのカップの種類によっても異なるが、上縁辺１１に沿って近傍部に１〜４本入れるのが適しているが、１本では腰が強く屈曲性に劣るので適さず、３，４本になると逆に腰が弱くなり屈曲性が良すぎて適さず、バスト上部が痩せてボリュームが減少すると、それに伴って屈曲してバストに良く馴染んでぴったりフィットするのは２本が好ましい。
【００１９】
型押し溝１２の幅は、溝１２の本数やカップによっても異なるが、好ましくは２〜３ｍｍ程度が適しており、この範囲であれば屈曲しやすくバストに良く馴染む。また、型押し溝１２の深さとしては、長手方向の中央部が最深部となり、両端部が浅くなっているのが好適である。例えば、中央部の最深部が３ｍｍで、残余生地の厚みを１ｍｍ程度とするのが適している。これにより肌側への屈曲がし易くなり、カップ２がバストに馴染みフィットして保形できバストラインを美しく整容できるものである。また、型押し溝１２の深さは長さ方向の全長に亘って均一深さとする場合もある。
【００２０】
このように構成した第１実施の形態による使用態様を作用、効果と共に説明すると、左右のバストカップ２，２を装着したブラジャー本体１を着用すると、出産や年齢を重ねてバスト上部が痩せてボリュームが減少すると、図５Ａに示すように、バストとカップ２の間に間隙Ｇが生じることになり、カップ２がバストにフィットせず浮くことになり、形の良いバストに保形できなくなるが、上縁辺１１に沿って型押し溝１２が内面に施されているカップ２を使用することにより、図５Ｂに示すように、上縁辺１１が肌側に折れ曲がりやすくなり、カップ２がバストに馴染みフィットし保形してバストラインを美しく見せることができるものである。
【００２１】
また、カップ２の上縁辺１１に型押し溝１２を、１〜４本の範囲で入れることができ、その本数によってカップ２の上縁辺１１のフレキシブル具合を調整でき、バスト上部のボリュームが減少して痩せたバストになっても、それに応じて肌側に屈曲し、カップ２がバストに良く馴染んでフィットしバストラインを美しく整容できるものである。
【００２２】
つぎに、図６，７に示すのは、本発明の第２実施の形態を示すもので、前記第１実施の形態と異なるのは、カップ２に施された複数本の型押し溝１２を、上縁辺１１の上方から下方に向かって長さが徐々に短くなるようにした点だけ異なっており、その他の点は前記第１実施の形態と全く同様であるから、同一部分に同一符号を付して説明は省略する。
【００２３】
このように構成した第２実施の形態による使用状態を作用、効果と共に説明すると、左右のバストカップ２，２を装着したブラジャー本体１を着用すると、カップ２の上縁辺１１の近傍部に施された複数本の型押し溝１２の長さが上方から下方に向かって徐々に短くなっているから、下方より上方の屈曲度が大きくなり、バストの上部が痩せたとしても、その減少に応じて折れ曲がりバストによく馴染みフィットし、バストラインを美しく見せることができる。
【００２４】
さらに、図８，９に示すのは、本発明の第３実施の形態を示すもので、前記第１、第２実施の形態と異なるのは、カップ２に施された複数本の型押し溝１２を上縁辺１１の上方から下方に向かって間隔が徐々に広くなるようにした点だけ異なっており、その他の点は前記第１実施の形態と全く同様であるから、同一部分に同一符号を付して説明は省略する。
【００２５】
このように構成した第３実施の形態による使用態様を作用、効果と共に説明すると、左右のバストカップ２，２を装着したブラジャー本体１を着用すると、カップ２の上縁辺１１の近傍部に施された複数本の型押し溝１２の間隔が上方から下方に向かって徐々に広がっていることにより、下方より上方の屈曲度が大きくなり、バストの上部が痩せたとしても、その減少に応じて折れ曲がりバストによく馴染みフィットし、バストラインを美しく見せることができる。
【００２６】
以上、本発明の主要な実施の形態について説明したが、本発明は上記実施の形態に限定されるものではなく、例えば、図示していないが、フルカップやハーフカップにも使用可能であって、本発明の目的を達成でき、且つ発明の要旨を逸脱しない範囲内で種々の設計変更が可能であり、それらも全て本発明の範囲内に包含されるものである。
【産業上の利用可能性】
【００２７】
本発明は、ブラジャーだけでなく、ボディスーツ、ブラスリップ、ブラトップス、レオタード、水着、カップ付きドレスなどのバストを支えるバストカップを備えた各種の女性用衣類に適用可能である。
【符号の説明】
【００２８】
１    ブラジャー本体
２    カップ
１１  上縁辺
１２  型押し溝
【図１】
2012224947.tif 000003
【図２】
2012224947.tif 000004
【図３】
2012224947.tif 000005
【図４】
2012224947.tif 000006
【図５】
2012224947.tif 000007
【図６】
2012224947.tif 000008
【図７】
2012224947.tif 000009
【図８】
2012224947.tif 000010
【図９】
2012224947.tif 000011